(57)【特許請求の範囲】
【請求項１】
壁面もしくは陳列用什器の背面部に、陳列用棚板もしくは陳列用専用トレイが多段に取り付けられ、各棚板もしくは専用トレイに物品を陳列して陳列面が構成された陳列構造において、上記陳列用棚板もしくは陳列用専用トレイの、いずれかの棚板もしくは専用トレイの正面部と下面部に、下記の照明装置（Ａ）が、それぞれ着脱自在に取り付けられ、取り付けられた各照明装置（Ａ）が互いに、その接続コードを介して電気的に接続されており、上記陳列用棚板もしくは陳列用専用トレイの、少なくとも上記照明装置（Ａ）を取り付ける部分が金属材料で形成されているとともに、上記照明装置（Ａ）が取り付けられる正面部に、正面部から下向きに延びる垂直面部と、その下端から手前側と奥側の二方向に延びる水平面部とを備えた側面視逆Ｔ字状の支受縁が延設され、上記支受縁の水平面部のうち、手前側に延びる部分を利用して、正面部に取り付けられた照明装置（Ａ）の下部が上向きに支受され、同じくその奥側に延びる部分を利用して、下面部に取り付けられた照明装置（Ａ）の下部が上向きに支受されるようになっていることを特徴とする物品陳列構造。
（Ａ）略棒状の本体部と、その長手方向に沿って帯状に延びる発光部と、上記本体部の両端部からそれぞれ外側に延びる通電用の接続コードとを備え、上記本体部が、その取り付け部分への当接部に設けられた磁石によって、上記発光部を外向きにして、上記棚板もしくは専用トレイの所定の部位に着脱自在に取り付けられ、その取り付け面から垂直方向に光を照らすようになっている照明装置。
【請求項２】
上記照明装置（Ａ）の発光部が、長手方向に所定間隔で並ぶＬＥＤを発光源とするものである請求項１記載の物品陳列構造。
【発明の詳細な説明】
【技術分野】
【０００１】
本発明は、化粧品等の各種物品を店頭に陳列するための物品陳列構造に関するものである。
【背景技術】
【０００２】
従来から、化粧品販売店等において、多種多様な化粧品、テスター等の物品を店頭に効率よく陳列するために、多段に棚板を設けた専用の陳列用什器が多く用いられている。このような陳列用什器の場合、各棚板上の物品を明るく照らすために、例えば、各棚板を透明アクリル板で形成し、その最上段から下向きに照明を照らすとともに、その最下段から上向きに照明を照らすことが行われている（特許文献１を参照）。
【０００３】
また、このような照明方法では、上段部や下段部の陳列品は明るく照らされても、中段部の陳列品まで充分に照明の光が届きにくいことから、各棚板の下面にも、照明装置を組み込んで、その下の棚板上の陳列品を照らすようにした陳列用什器も提案されている（特許文献２を参照）。
【先行技術文献】
【特許文献】
【０００４】
【特許文献１】実開平２−１０３３５１号公報
【特許文献１】特開２００１−２９９５２２公報
【発明の概要】
【発明が解決しようとする課題】
【０００５】
しかしながら、陳列用什器のどの部分に照明装置を配置するにしても、従来の方法では、物品の陳列に先立って什器のフレームや棚板に照明装置を組み込んでおく必要があるため、実際に物品を陳列した後、いざ照明を点灯してみると、陳列された物品への照明効果が不充分に感じられる場合や、逆にそこまで明るくなくてもよいと思われる場合があり、問題となっている。
【０００６】
また、照明装置の光源を交換する等のメンテナンス作業を行う場合、その都度、作業の邪魔になる陳列物品を取り除く必要があり、煩雑な手間を要するという問題もある。
【０００７】
本発明は、このような事情に鑑みなされたもので、予め陳列用什器や壁面の陳列棚に照明装置を組み込んでおかなくても、全体の陳列構成をみながら、バランスよく照明効果を演出することのできる物品陳列構造の提供をその目的とする。
【課題を解決するための手段】
【０００８】
上記の目的を達成するため、本発明は、壁面もしくは陳列用什器の背面部に、陳列用棚板もしくは陳列用専用トレイが多段に取り付けられ、各棚板もしくは専用トレイに物品を陳列して陳列面が構成された陳列構造において、上記陳列用棚板もしくは陳列用専用トレイの、いずれかの棚板もしくは専用トレイの正面部と下面部に、下記の照明装置（Ａ）が、それぞれ着脱自在に取り付けられ、取り付けられた各照明装置（Ａ）が互いに、その接続コードを介して電気的に接続されており、上記陳列用棚板もしくは陳列用専用トレイの、少なくとも上記照明装置（Ａ）を取り付ける部分が金属材料で形成されているとともに、上記照明装置（Ａ）が取り付けられる正面部に、正面部から下向きに延びる垂直面部と、その下端から手前側と奥側の二方向に延びる水平面部とを備えた側面視逆Ｔ字状の支受縁が延設され、上記支受縁の水平面部のうち、手前側に延びる部分を利用して、正面部に取り付けられた照明装置（Ａ）の下部が上向きに支受され、同じくその奥側に延びる部分を利用して、下面部に取り付けられた照明装置（Ａ）の下部が上向きに支受されるようになっている物品陳列構造を第１の要旨とする。
（Ａ）略棒状の本体部と、その長手方向に沿って帯状に延びる発光部と、上記本体部の両端部からそれぞれ外側に延びる通電用の接続コードとを備え、上記本体部が、その取り付け部分への当接部に設けられた磁石によって、上記発光部を外向きにして、上記棚板もしくは専用トレイの所定の部位に着脱自在に取り付けられ、その取り付け面から垂直方向に光を照らすようになっている照明装置。
【００１０】
また、本発明は、そのなかでも、特に、上記照明装置（Ａ）の発光部が、長手方向に所定間隔で並ぶＬＥＤを発光源とするものである物品陳列構造を第２の要旨とする。
【発明の効果】
【００１１】
本発明の物品陳列構造によれば、略棒状の本体部の長手方向に沿って帯状に延びる発光部を備えた照明装置（Ａ）が、陳列用棚板や陳列用専用トレイの、いずれかの棚板もしくは専用トレイの正面部と下面部に、それぞれ着脱自在に取り付けられ、かつ取り付けられた各照明装置（Ａ）が、その両端部から延びる接続コードを介して互いに電気的に接続されているため、陳列構造を正面からみた場合に、各段の仕切りとなる棚板や専用トレイの所定の面に沿って、照明装置（Ａ）の発光部が、その取り付け面から垂直方向に光を照らして帯状に光るようになっている。したがって、この物品陳列構造によれば、上記照明の光によって陳列が光の帯で仕切られたかのように見え、めりはりがでてアイキャッチ効果が高いものとなる。しかも、上記照明装置（Ａ）は、棚板や専用トレイに物品を陳列した後に、物品の陳列に供していない面を利用して取り付けることができるため、その陳列物品の種類や陳列形態に応じた、バランスのよい照明を実現することができる。
【００１２】
そして、この物品陳列構造によれば、照明装置（Ａ）を、簡単に棚板や専用トレイから外すことができるため、メンテナンス作業を容易に行うことができる他、陳列物品の種類や陳列形態の変化に応じて、その都度、簡単に照明の配置替えをすることができる。
【００１３】
また、本発明は、特に、上記陳列用棚板もしくは陳列用専用トレイの、少なくとも上記照明装置（Ａ）を取り付ける部分が金属材料で形成されており、上記照明装置（Ａ）の、上記取り付け部分への当接部に磁石が設けられているため、照明装置（Ａ）を着脱自在に取り付けるための部材を、上記棚板やトレイ側に設けたり、照明装置（Ａ）側に設けたりする必要がなく、手軽に照明装置（Ａ）の着脱を行うことができる。
【００１４】
さらに、本発明では、特に、上記陳列用棚板もしくは陳列用専用トレイの、いずれかの棚板もしくは専用トレイの正面部と下面部にそれぞれ上記照明装置（Ａ）が取り付けられ、その正面部に、正面部から下向きに延びる垂直面部と、その下端から手前側と奥側の二方向に延びる水平面部とを備えた側面視逆Ｔ字の支受縁が延設され、上記支受縁の水平面部のうち、手前側に延びる部分を利用して、正面部に取り付けられた照明装置（Ａ）の下部が上向きに支受され、同じくその奥側に延びる部分を利用して、下面部に取り付けられた照明装置（Ａ）の下部が上向きに支受されるようになっている。したがって、この構成によれば、陳列物品を顧客が手にとる場合等に、照明装置（Ａ）に手が触れたり、棚板等が揺れたりしても、照明装置（Ａ）がずれたり落下したりすることがない。
【００１５】
さらに、本発明のなかでも、特に、上記照明装置（Ａ）の発光部が、長手方向に所定間隔で並ぶＬＥＤを発光源とするものは、照明による発熱が少ないため、熱に敏感な物品を陳列しても、物品への熱的な影響がなく好ましい。しかも、ＬＥＤは、光の色や強さを調整しやすいため、印象的な照明効果を得ることができる。
【図面の簡単な説明】
【００１６】
【図１】本発明の一参考の形態である物品陳列構造を適用した陳列用什器を示す外観斜視図である。
【図２】上記陳列用什器の分解斜視図である。
【図３】上記陳列用什器のベース部を示す正面図である。
【図４】上記陳列用什器に用いられる物品陳列用棚板の分解斜視図である。
【図５】上記物品陳列用棚板に照明装置を取り付けた状態を示す斜視図である。
【図６】（ａ）は図５のＡ−Ａ′断面図、（ｂ）は本発明の一実施の形態において、照明装置を取り付けた状態を示す断面図である。
【図７】上記実施の形態に用いられる照明装置の説明図である。
【図８】（ａ）、（ｂ）は、ともに照明装置の他の取り付け方を示す説明図である。
【図９】照明装置のさらに他の取り付け方の説明図である。
【図１０】本発明の他の実施の形態の説明図である。
【発明を実施するための形態】
【００１７】
つぎに、本発明を実施するための実施の形態について、参考の形態とともに説明する。ただし、本発明は、以下の実施の形態に限定されるものではない。
【００１８】
図１は、本発明を、化粧品とそのテスターの陳列に適用するために用いられる陳列用什器に適用した場合の、一参考の形態を示している。
【００１９】
この陳列用什器は、図２に示すように、箱状の基台部１１とその奥端から垂立する背面部１２とを備えたベース部１３に、大きさの異なる３種類の物品陳列用棚板１４、１５、１６を各２枚ずつと、略箱状の物品情報ユニット１７と、蛍光灯が内蔵された照明ユニット１８とを、着脱自在に取り付けることによって構成されている。
【００２０】
より詳しく説明すると、上記ベース部１３の基台部１１には、化粧品の商品やテスターをストックするための引き出し１０が左右２個設けられており、その正面開口が、蝶番１９（図３参照）を介して開閉自在に取り付けられた扉２０によって隠されるようになっている。
【００２１】
また、上記基台部１１の奥端から垂立する背面部１２には、棚板取り付け用のレール２２〜２５が、左右に４本、所定間隔で並んだ状態で、背面部１２を構成するパネル１２ａの間に挟持されている。レール２２〜２５は、それぞれ四角筒状で、その正面を向いた面に、棚板を係合させるための係合部として、縦長の切欠き穴２１が上下方向に所定ピッチで形成されている。ただし、これらのレール２２〜２５のうち、左右両端に設けられるレール２２、２５は、上下に並ぶ切欠き穴２１の列が１本の単レールであり、内側の２本のレール２３、２４は、上下に並ぶ切欠き穴２１の列が２本の複レールである。したがって、向かって右端のレール２２と、内側のレール２３の右半分が、「左右一対のレール」として、背面部１２の向かって右側に取り付けられる物品陳列用棚板１４、１５との係合に用いられるようになっている。また、内側のレール２３の左半分と、その左側のレール２４の右半分が、同じく「左右一対のレール」として、背面部１２の中央に取り付けられる物品情報ユニット１７との係合に用いられるようになっている。さらに、上記レール２４の左半分と、左端のレール２５とが、「左右一対のレール」として、背面部１２の向かって左側に取り付けられる物品陳列用棚板１４、１５との係合に用いられるようになっている。なお、幅広の物品陳列用棚板１６は、左右両端のレール２２、２５の切欠き穴２１に係合して取り付けられるようになっている。
【００２２】
また、前記照明ユニット１８には、その下面の左右両端から下向きに、連結軸３０が突出形成されており、この連結軸３０を、背面部１２の左右両端のレール２２、２５の上端開口に差し込むことによって、照明ユニット１８が、背面部１２の上端部に固形されている。
【００２３】
一方、３種類の物品陳列用棚板（以下「棚板」と略す）１４、１５、１６は、寸法に違いはあるものの、いずれも基本的な構成は同じであることから、その構成を、背面部１２の左右の最上段に取り付けられる棚板１４を例にとって説明する。
【００２４】
すなわち、上記棚板１４は、その分解斜視図である図４に示すように、平面視略四角枠状の枠体４０と、上記枠体４０上に、前後２個所でねじ留めされることによって、交換可能に取り付けられる物品載置板４１とで構成されている。
【００２５】
上記枠体４０は、全体が、黒色に塗装された金属板からなり、具体的には、左右の枠辺４２、４３が、打ち抜き成形された厚み２ｍｍのステンレス板で構成され、前後の枠辺４４、４５が、厚み１ｍｍのステンレス製角パイプで構成されている。そして、上記左右の枠辺４２、４３の後端部には、上記背面部１２のレール２２等の切欠き穴２１（図３参照）と係合して枠体４０を固定するための、独特の凹凸形状を有する被係合部５０が、それぞれ後方に突出形成されている。
【００２６】
そして、上記枠体４０の、前側の枠辺４４の前端面には、横長帯状の正面板４０ａが設けられており、この部分に、後述する略棒状の照明装置８０が取り付けられるようになっている。また、この部分を利用して、陳列物品に関するＰＯＰ等を取り付けることもできるようになっている。
【００２７】
また、上記枠体４０の上に取り付けられる物品載置板４１は、厚み１ｍｍの透明ポリエチレンテレフタレート（ＰＥＴ）シートからなり、上記枠体４０の開口を上から塞ぐ水平面部５１と、その前端部、後端部のそれぞれにおいて幅方向に延びる立ち上がり部５２、５３とを備えている。
【００２８】
なお、５４は、枠体４０側に設けられるねじ穴であり、５５は、物品載置板４１側に設けられるねじ固定用の貫通穴である。
【００２９】
したがって、上記枠体４０に、物品載置板４１をねじ固定した状態で、枠体４０の左右の後端部に設けられた被係合部５０を、前記背面部１２側の切欠き穴２１と係合させることにより、背面部１２に対し水平に棚板１４を取り付けることができる（図１参照）。
【００３０】
また、上記棚板１４の下に取り付けられる棚板１５は、図２に示すように、左右の枠辺（棚板１４の４２、４３に相当）の長さが棚板１４より長く設定されており、その下の、上下二段に取り付けられる棚板１６は、ともに、左右の枠辺の長さが上記棚板１５よりさらに長くなっている。しかも、上記棚板１６は、その左右の枠辺の間隔、すなわち棚板１６の左右の幅が大幅に広くなっており、この陳列用什器の背面部１２の左右両端のレール２２と２５に係合することにより、背面部１２に取り付けられるようになっている。
【００３１】
さらに、背面部１２の中央に取り付けられる物品情報ユニット１７は、図２に示すように、傾斜した前面を有する略箱形状の本体部６０と、その内側に組み込まれる画像表示手段とを備え、本体部６０の前面中央に位置決めされた、上記画像表示手段の画像表示部６２によって、陳列商品に関する情報を画像として顧客に提供するようになっている。そして、上記画像表示部６２の下には、物品情報が表示されたリーフレット６３を保持するホルダー部６４が設けられており、上端部には、三面鏡６５が取り付けられている。
【００３２】
なお、上記本体部６０の奥端面は、取り外し自在な背板６１によって構成されており、その左右両端に、陳列用什器の背面部１２側の切欠き穴２１（図３参照）と係合しうる被係合部７０（棚板１４の被係合部５０の先端部と同一形状、図４参照）が、上下２個ずつ突出形成されている。
【００３３】
したがって、上記背板６１を、本体部６０の奥端面として取り付けた状態で、その被係合部７０を、上記背面部１２側の切欠き穴２１と係合させることにより、背面部１２の中央に、物品情報ユニット１７を安定した状態で取り付けることができる（図１参照）。
【００３４】
そして、上記陳列用什器を用いて各棚板１４〜１６に化粧品やテスター等の物品を陳列した後、各棚板１４〜１６を利用して、その正面部と下面部に、各段の陳列物品を照らす照明装置８０、８１を取り付けることにより、目的とする物品陳列構造を得ることができる。
【００３５】
上記照明装置８０、８１の取り付け方を、図４、図５を用いて説明する。すなわち、棚板１４の正面板４０ａに、棒状（具体的にはやや平たい四角柱状）の第１の照明装置８０が、その長手方向に沿って取り付けられるようになっている。また、上記枠辺４４の下面にも、同一形状の第２の照明装置８１が、やはり長手方向に沿って取り付けられるようになっている（図５のＡ−Ａ′断面図である図６〔ａ〕参照）。
【００３６】
上記照明装置８０、８１は、図７に示すように、左右方向に細長く延びる、レール状の金属製の本体部８８内に、多数のＬＥＤ８４が長手方向に所定間隔で並んで搭載された帯状基板８３を取り付け、そのレール状開口部を、同じくレール状の透明プラスチック製カバー８２で覆った構成になっている。
【００３７】
なお、８５は、上記帯状基板８３の左右両端部からそれぞれ外側に延びる接続コードで、その先端に連結用のコネクタ８６、８６′（図４参照）が一体的に取り付けられている。上記コネクタ８６、８６′は、互いに対になっており、両者を嵌合させることによって、接続コード８５同士を電気的に接続することができるようになっている。この例では、照明装置８０の一端側の接続コード８５と、照明装置８１の他端側の接続コード８５とを接続することにより、照明装置８０、８１を直列的に連結している。
【００３８】
また、上記照明装置８０、８１の各本体部８８の背面には、その背面と略同形状の帯状磁石９０が取り付けられており、この帯状磁石９０の磁力によって、各照明装置８０、８１が、棚板１４の枠体４０に、着脱自在に取り付けられるようになっている。
【００３９】
なお、棚板１５にも、同様の照明装置８０、８１が、棚板１４の場合と同様にして取り付けられるようになっている。また、棚板１６にも、棚板１６の幅に合わせて寸法が長く設定された照明装置が、同様にして取り付けられるようになっている（これらの図示を省略）。そして、各棚板１４〜１６に取り付けられた各照明装置８０等は、互いの接続コード８５を直接、もしくは他の接続コードを介在させることにより、互いに電気的に接続されており、全体のうちの一端を電源スイッチに接続し、その電源スイッチをオン、オフすることにより、全照明装置８０、８１等による照明を、一括して点灯もしくは消灯することができるようになっている。また、各照明装置８０等を互いに接続する接続コード８５等は、棚板１４〜１６の下面や側面、陳列物品の奥側の隙間等を利用して、陳列用什器の正面から見えにくいように処理される。
【００４０】
したがって、上記陳列用什器に照明装置８０等を取り付けた物品陳列構造によれば、まず、この物品陳列構造に用いられる陳列用什器が、棚板１４〜１６上に陳列される物品（化粧品やテスター、あるいはその関連物等）の高さ寸法に応じて、棚板１４〜１６の互いの間隔を適宜に設定することができるようになっているため、陳列スペースに無駄が生じることがなく、多種多様な物品を高い密度で陳列することができる、という効果を奏する。もちろん、意図的に各棚板１４〜１６の間隔をあけて、印象的な陳列空間をつくることもでき、さまざまなバリエーションの陳列形態を実現することができる。
【００４１】
しかも、上記棚板１４〜１６が、それぞれ平面視略四角枠状の枠体４０と、これに交換可能な形で取り付けられる物品載置板４１とで構成されているため、適宜の材質や色合いの物品載置板４１を取り付けることができ、陳列する物品の種類に応じた印象の陳列形態を実現することができる。そして、上記物品載置板４１として、陳列する物品の重量に応じた強度を確保しながら、より軽い材質のものを選択的に使用することができるため、全体として、陳列用什器の軽量化を図ることができる。一方、枠体４０自体は、頑丈な材質のもの（上記の例では金属板）で形成し、長期にわたって繰り返し使用することができる。
【００４２】
そして、上記物品載置板４１が、その前端部および後端部に、幅方向に延びる立ち上がり部５２、５３を有しているため、棚板１４〜１６上に、物品を載置した状態のまま配置替えを行う場合、前後方向に物品がずれても、上記立ち上がり部５２、５３によって物品の落下を防止することができ、作業性がよいという利点を有する。なお、左右方向のずれは、棚板１４〜１６を持つ作業員の左右の腕で防止されるため、特に問題にならない。
【００４３】
さらに、上記陳列用什器の各棚板１４〜１６のそれぞれに、照明装置８０等が取り付けられているため、その電源スイッチをオンにして通電すると、棚板１４を例にとれば、図５に示すように、照明装置８０からの照明Ｐが、矢印で示すように、棚板１４の前方を照らし、照明装置８１からの照明Ｑが、矢印で示すように、棚板１４の下方を照らすようになっている。したがって、前方への照明Ｐは、棚板１４の端面に沿う帯状の光として視認されるため、上下の陳列が光の帯によって仕切られたかのような印象を与え、高いアイキャッチ効果を奏する。また、下方への照明Ｑは、上段の影になって暗くなりがちな下段の陳列を明るく照らし、やはり高いアイキャッチ効果を奏する。棚板１５、１６においても、同様の照明効果が得られる。
【００４４】
しかも、上記照明装置８０等は、棚板１４〜１６の上に物品を陳列した後に、物品の陳列に供していない部分を利用して、簡単に取り付けることができるため、その陳列物品の種類や陳列形態に応じた、バランスのよい照明を実現することができる。とりわけ、上記の例で用いる陳列用什器が、左右の棚板１４、１５の高さを、それぞれ別個に変えることができるとともに物品載置板４１もいろいろな材質のものに交換することができ、様々なバリエーションの陳列を実現することができることから、そのバリエーションに応じて、左右で印象の異なる照明にしたり、全体のバランスを考慮しながら照明に強弱をつけたりすることができ、非常に優れたアイキャッチ効果を奏する陳列構造を提供することができる。
【００４５】
そして、上記照明装置８０等は、簡単に棚板１４〜１６から外すことができるため、メンテナンス作業を容易に行うことができる他、陳列物品の種類や陳列形態の変化に応じて、その都度、簡単に照明の配置替えをすることができるという利点を有する。
【００４６】
なお、本発明に用いられる照明装置８０等の形状は、略棒状の本体部と、その長手方向に沿って帯状に延びる発光部と、上記本体部の両端部からそれぞれ外側に延びる通電用の接続コードとを備えていれば、上記の例の構成に限るものではない。
【００４７】
例えば、上記の例では、発光部が、長手方向に並ぶＬＥＤ８４と、その取り付け開口を透明プラスチック製カバー８２で覆った構成になっているが、必ずしもＬＥＤ８４を用いる必要はなく、蛍光灯、白熱灯、ネオンランプ等を用いても差し支えない。ただし、発熱が少ない点、色の変化や光の強弱をつけやすい点において、ＬＥＤ８４を用いることが好適である。また、そのカバー８２も、例えば、光透過性の筒状フィルムで構成し、これを本体部８８に被せて用いるようにしてもよい。
【００４８】
また、照明装置８０等の本体部８８を、棚板１４〜１６に対して着脱自在に取り付ける方法も、上記の例では、レール状の本体部８８の背面に帯状磁石９０を取り付け、その磁力によって、棚板１４等の金属製枠体４０に取り付けるようにしているが、これに代えて、磁石製、もしくは磁石付のクリップを本体部８８に取り付け、そのクリップを棚板１４側に係止するという方法等を採用してもよい。
【００４９】
そして、照明装置８０等を接続するための接続コード８５は、上記の例では、２本一対のコードであるが、導線が内蔵された帯状コードであってもよい。そして、その先端に設けられるコネクタ８６，８６′も、互いに嵌合するものであれば、その形状は、上記の例に限らない。
【００５０】
なお、上記照明装置８０等の取り付け手段が、磁石を用いた簡単なものであるため、陳列物品を顧客が手にとる場合や、これを元に戻す場合等に、照明装置８０等に手が当たったり棚板１４等が揺れたりして、照明装置８０等がずれたり落下したりしやすい。そこで、例えば、図６（ｂ）に示すように、枠体４０に取り付ける正面板４０ｂとして、Ｔ字状アングルを用い、その側面視逆Ｔ字状に張り出した水平面のうち、手前側に張り出した部分で、正面部に取り付けられた照明装置８０を下から支受し、奥側に張り出した部分で、下面部に取り付けられた照明装置８１を下から支受するようにしたものを、本発明の一実施の形態として示すことができる。これにより、上記照明装置８０等のずれや脱落を防止することができる。
【００５１】
さらに、上記の例では、棚板１４〜１６を構成する枠体４０を利用して、その正面部と下面部のそれぞれに、照明装置８０等を取り付けるようにしたが、その取り付け態様は、これに限るものではない。例えば、図８（ａ）に示すように、棚板１４等の正面部と下面部の他に、側面部にも、照明装置８７を取り付けることができる（棚板の図示を省略）。このように、棚板１４等の側面部にも照明装置８７を取り付けると、前方、下方、側方の３方向に光を照射することができるため、陳列用什器の左右両端に配置される棚板に適用することが好適である。
【００５２】
また、例えば図８（ｂ）に示すように、上下の棚板の間にまたがって、あるいは棚板と棚板の間を利用して、垂直方向にも照明装置８０′を取り付けるようにすることができる。そして、これら照明装置８０、８０′を組み合わせることにより、より印象的な照明効果を得ることができる。
【００５３】
なお、上記垂直方向に延びる照明装置８０′は、陳列用什器の左右両端のレール２２、２５（図１参照）や、物品情報ユニット１７の左右の縦辺部に沿って配置させることもできる。
【００５４】
そして、本発明の物品陳列構造は、必ずしも、上記の例のように、枠体４０と物品載置板４１とを組み合わせた陳列用什器を用いる必要はなく、壁面や陳列用什器の背面部に、棚板や陳列用専用トレイが多段に取り付けられ、その上に物品が陳列して陳列面が構成されるようになっているものであれば、どのような陳列構造に対しても適用することができる。
【００５５】
ただし、上記の例のように、枠体４０と物品載置板４１を組み合わせたものは、その物品載置板４１の材質を、透明アクリル板やガラス板にして上下方向から照明を透過させて明るい印象にしたり、鏡面仕上げされた金属板にしてメタリックな印象を付与したり、あるいは乳白色の樹脂板にして柔和な印象を付与することができるため、上記照明装置８０等の配置の変化と相俟って、陳列物品の種類に応じて、非常に豊かなバリエーションの陳列構造を実現することができ、好適である。
【００５６】
なお、本発明の物品陳列構造には、棚板の上に陳列用専用トレイを載せて用いることもできるが、上記「陳列用専用トレイ」とは、必ずしも陳列用什器のための「専用品」である必要はなく、物品を一まとまりで収納保持するトレイであって、そのトレイごと棚板上に陳列できるよう構成されたものであれば、どのようなものであってもよい。
【００５７】
例えば、図９に示すように、物品を収納保持する凹部を有し、その前端面に、前方に張り出した、断面円弧状の透明な物品情報表示部１００ａを有する陳列用専用トレイ（以下「トレイ」と略す）１００が、最近賞用されている。上記物品情報表示部１００ａには、直接物品情報を表示するシール等を貼付したり、この部分を二重にして、その隙間に表示シートを差し込んだりして用いられる。このようなトレイ１００を用いた陳列構造によれば、照明装置８０による前方への照明Ｐが、上記物品情報表示部１００ａを透過するため、この周囲が明るく光って印象的なものとなる。もちろん、照明装置８１による下方への照明Ｑによって、このトレイ１００の下の段の陳列物品も明るく照らされるようになっている。
【００５８】
また、最近は、棚板の上にトレイを載せるのではなく、トレイ自身の後端部に、垂立するレールと係合しうる被係合部５０を設け、レールにトレイを直接多段に取り付けて陳列面を形成する場合があるが、その場合は、例えば図１０に示すように、トレイ１００′を薄い金属板で形成し、その正面部と下面部に、それぞれ照明装置８０、８１を取り付けることにより、上記の例と同様の効果を得ることができる。
【００５９】
さらに、本発明の物品陳列構造には、必ずしも陳列用什器を用いる必要はなく、例えば、店舗の壁面に、直接棚板やトレイを取り付けるためのレールを取り付けて、棚板やトレイを多段に取り付けることにより、本発明の物品陳列構造を実現するようにしてもよい。
【産業上の利用可能性】
【００６０】
本発明は、化粧品やそのテスター等、多種多様な物品が集約的に陳列された物品陳列構造に利用することができる。
【符号の説明】
【００６１】
１４  棚板
４０ａ  正面板
８０、８１  照明装置
【図１】
0005567857.tif 000002
【図２】
0005567857.tif 000003
【図３】
0005567857.tif 000004
【図４】
0005567857.tif 000005
【図５】
0005567857.tif 000006
【図６】
0005567857.tif 000007
【図７】
0005567857.tif 000008
【図８】
0005567857.tif 000009
【図９】
0005567857.tif 000010
【図１０】
0005567857.tif 000011